(57)【要約】      （修正有）【課題】太陽光発電の発電効率を上げるには、受光面積をより広げ、そして常に太陽に正対していることが望ましいが、台風等の強風時に耐えるためには、堅固なものにする必要があり、多くの設置面積を必要とし、また、重量やコストが嵩む問題があり、それらに対応した太陽光発電装置を提供する。【解決手段】太陽光パネル９，１０，１１の受光面積が可変な太陽光発電機３にＬｏＲａＷＡＮ等の通信チップ７と風速・風向計８を搭載し、ＡＩを搭載したコンピューターを持つＡＩ再生可能エネルギーアシストセンター１を設定し、双方向の通信を可能とする。太陽光発電機３側からは、風速・風向き、太陽光パネルの面積情報と角度情報をＡＩ再生可能エネルギーアシストセンター１に送信し、ＡＩ再生可能エネルギーアシストセンター１は、太陽光発電機３が強風で破壊されないようにしながら、最大効率の発電を行うよう太陽光パネル９，１０，１１の受光面積を調整する。【選択図】図１
2019154188.tif 000002
【特許請求の範囲】
【請求項１】
受光面積が可変で、かつ太陽追尾型の太陽光発電機において、ＬｏＲａＷＡＮ等の通信チップを搭載し、ＡＩが搭載されたコンピューターが設置されたＡＩ再生可能エネルギーアシストセンターとリアルタイムで交信ができるようにしたＡＩ再生可能エネルギー発電機アシストシステム。
【発明の詳細な説明】
【技術分野】
【０００１】
本発明は、ＬｏＲａＷＡＮ等の通信チップを太陽光発電、風力発電等の再生可能エネルギー発電機に搭載し、該再生可能エネルギー発電機の状態や発電量・充電量等をＬｏＲａＷＡＮ等の通信基地局経由でＡＩ再生可能エネルギーアシストセンターに送ることで、該ＡＩ再生可能エネルギーアシストセンターのＡＩ（人工知能）が該再生可能エネルギー発電機へ各種動作指示を出して、発電効率を上げたり、強風時には強風対応をするシステムに関するものである。
【背景技術】
【０００２】
太陽光発電等の再生可能エネルギーは、現在のところ日本全体のエネルギー量の5％にも満たないレベルであり、地球温暖化対策でのＣＯ２削減や化石燃料の枯渇問題を考慮すると、今後大幅に増やしていく必要があるため、さらに発電効率を上げたり、太陽光追尾型の太陽光発電装置の安全対策を高めた上で住居地域も含めてあらゆる場所へ設置できるようにしなければならないと考えられる。
太陽光発電機の発電効率を上げるには、受光面積をより広げ、そして常に太陽に正対していることが望ましいが、台風等の強風時に耐えるためには、より堅固なものにする必要があり、より多くの設置面積を必要とし、また太陽光発電装置の重量やコストが嵩む問題がある。
【先行技術文献】
【特許文献】
【０００３】
【特許文献１】特開2017-11979号公報
【発明の概要】
【発明が解決しようとする課題】
【０００４】
風の強度や風の方向及び太陽の位置を考慮して、太陽光パネルの受光面積を増減することが可能な構造にして、まず太陽光発電機に内蔵したＬｏＲａＷＡＮ等の通信チップによって、ＬｏＲａＷＡＮ基地局経由でクラウド型のＡＩ（人工知能）に現況を伝え、該ＡＩから太陽光発電機に対し太陽光パネルの受光面積の増減の指示を出して、時系列的に変化する風の強度と太陽光パネルの角度位置にて、太陽光パネルが強風で破壊されないようにしながら受光面積を広げて、その環境での最大効率の発電を行う。
【課題を解決するための手段】
【０００５】
太陽光パネルの受光面積が可変な太陽光発電機にＬｏＲａＷＡＮ等の通信チップと風速・風向計を搭載し、またＡＩ（人工知能）を搭載したコンピューターを持つＡＩ再生可能エネルギーアシストセンターを設定し、２４時間での双方向の通信を可能とする。
ＬｏＲａＷＡＮ等の通信基地局経由にて、該太陽光発電機側からは、風速・風向き、太陽光パネルの面積情報と角度情報を該ＡＩ再生可能エネルギーアシストセンターに送信し、該ＡＩ再生可能エネルギーアシストセンターは、該太陽光発電機が強風で破壊されないようにしながら、最大効率の発電を行うよう太陽光パネルの受光面積を調整するよう指示をだす。
【発明の効果】
【０００６】
本発明により、風の弱い時は太陽光パネルの受光面積を広げて、より多くの電力量を稼ぐことが出来、強風時には受光面積を狭めて、破壊されないように保つことが出来るため、しかも２４時間のＡＩでの制御によるものなので人を介さずに制御され、そして太陽光発電等の再生可能エネルギー機全体を軽量化でき、設置可能箇所が増加するため、大幅に発電量を増やすことができる。
また、太陽光発電等の再生可能エネルギー機の故障や事故等がリアルタイムで分かるため、修理対応等が迅速に実施されるというメリットがある。
【図面の簡単な説明】
【０００７】
【図１】本発明の概要を示す。
【発明を実施するための形態】
【０００８】
太陽光発電等の再生可能エネルギー機にＬｏＲａＷＡＮ等の通信チップと風速・風向計とを搭載し、ＡＩ（人工知能）を搭載した複数のコンピュータが設置されたＡＩ再生可能エネルギーアシストセンターを設立し、市場の太陽光発電機等の再生可能エネルギー機とＡＩ再生可能エネルギーアシストセンターとが、ＬｏＲａＷＡＮ等の通信基地局を通して２４時間での双方向の通信を可能とする。
【０００９】
図1において、ＬｏＲａＷＡＮ通信チップ７により、受光面積可変太陽光発電機３の状況、すなわち支柱回転部４及び回転軸受け６に支えられた受光面回転軸５に直結しているモーターのエンコーダーの角度情報と風速・風向計８の情報はＬｏＲａＷＡＮ通信基地局２を介して、ＡＩ再生可能エネルギーアシストセンター１に送信され、該ＡＩ再生可能エネルギーアシストセンター1からは、風速・風向を勘案した一段目受光パネル９、二段目受光パネル１０、三段目受光パネル１１のどこまでを露出させるかの指示を行う。
風向きが、一段目受光パネル９に対して垂直気味になっているときは、一段目受光パネル９が受ける圧力が強くなる傾向になるので、風速にも依存するが、安全のため二段目受光パネル１０や三段目受光パネル１１は露出させないような方向となる。特に台風などの強風時には、一段目受光パネル９のみを露出し、該一段目受光パネル９を垂直に立てた上で、風上に端面が向くようにし、支柱回転部４に隠れるように設定することで、風圧を最小にして受けることが可能となる。
尚、本実施例では三段構成の受光パネルであるが、さらに段数を増やすことも可能であることは言うまでもない。
また、本実施例では風力発電機は搭載されていないが、搭載可能であることは言うまでもない。
【産業上の利用可能性】
【００１０】
このように、風速・風向きおよび太陽光受光パネルの追尾角度位置によって、太陽光パネルの受光面積を自動的に変えることが出来れば、機器全体の軽量化が可能になり、運搬や設置が楽になり、設置場所等も増加し、コストダウンにもつながり、再生可能エネルギーの発電量を大幅に増やすことが可能となる。
【符号の説明】
【００１１】
１  ＡＩ再生可能エネルギーアシストセンター
２  ＬｏＲａＷＡＮ通信基地局
３  受光面積可変太陽光発電機
４  支柱回転部
５  受光面回転軸
６  軸受け
７  ＬｏＲａＷＡＮ通信チップ
８  風速・風向計
９  一段目受光パネル
10  二段目受光パネル
11  三段目受光パネル
【図１】
2019154188.tif 000003
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
受光パネルの露出面積を広げたり狭めたりすることが可能で、かつ太陽追尾型の太陽光発電機において、ＬｏＲａＷＡＮ等の通信チップを搭載し、ＡＩが搭載されたコンピューターが設置されたＡＩ再生可能エネルギーアシストセンターとリアルタイムで交信ができるようにし、ＬｏＲａＷＡＮ等の通信基地局経由にて、該太陽光発電機側からは、風速・風向き、太陽光パネルの面積情報と角度情報を該ＡＩ再生可能エネルギーアシストセンターに送信し、該ＡＩ再生可能エネルギーアシストセンターは、該太陽光発電機が強風で破壊されないようにしながら、最大効率の発電を行うよう太陽光パネルの受光面積を調整するよう指示をだすＡＩ再生可能エネルギー発電機アシストシステム。